(57)【要約】【課題】  軸筒前端から突出する筆記芯の前側部分を効果的に保護する。【解決手段】  軸筒１０と、該軸筒１０の前側開口部１１ａに挿通されるとともに該軸筒１０の前端から前方へ突出したホルダー２０と、該ホルダー２０の内周面に接して該ホルダー２０に挿通されるとともに該ホルダー２０の前端から前方へ突出するように軸筒１０に支持された筆記芯３０とを備えた筆記具において、軸筒１０とホルダー２０の間に、前記ホルダー２０に加わる軸筒径外方向の力により前記ホルダー２０を軸筒及び前記筆記芯に相対し前進させる運動方向変換手段が具備されている。【選択図】  図４
2015123689.tif 000002
【特許請求の範囲】
【請求項１】
軸筒と、該軸筒の前側開口部に挿通されるとともに該軸筒の前端から前方へ突出したホルダーと、該ホルダーの内周面に接して該ホルダーに挿通されるとともに該ホルダーの前端から前方へ突出するように軸筒に支持された筆記芯とを備えた筆記具において、
軸筒と前記ホルダーの間に、前記ホルダーに加わる軸筒径外方向の力により前記ホルダーを軸筒及び前記筆記芯に相対し前進させる運動方向変換手段が具備されていることを特徴とする筆記具。
【請求項２】
前記運動方向変換手段は、軸筒と前記ホルダーとのうちの少なくとも一方に、カム斜面を設け、前記ホルダーを、前記カム斜面を介して軸筒に進退可能に係合してなり、
前記カム斜面は、前記ホルダーに加わる軸筒径外方向の力により前記一方に対する他方に摺接して前記ホルダーを前進させるように傾斜していることを特徴とする請求項１記載の筆記具。
【請求項３】
前記カム斜面は、前記ホルダーの外周面と軸筒の前側開口部とのうちの少なくとも一方に、前方へ向かって拡径するように設けられ、前記一方に対する他方に摺接して前記ホルダーを前進させることを特徴とする請求項２記載の筆記具。
【請求項４】
前記ホルダーは、軸筒及び前記筆記芯に相対し前進した前進位置と、その前進前の初期位置との間で進退するように設けられ、前記初期位置では軸筒の前側開口部に対し軸筒径方向へ移動不能に嵌り合い、前記前進位置では前記前側開口部に対し軸筒径方向への遊びを有する状態で嵌り合うように形成されることを特徴とする請求項１乃至３何れか１項記載の筆記具。
【請求項５】
前記ホルダーを軸筒に対し後方へ付勢するように、ホルダー付勢部材を設けたことを特徴とする請求項１乃至４何れか１項記載の筆記具。
【請求項６】
前記筆記芯を、前記ホルダーよりも後方側で軸筒に対し軸筒径方向へ微動可能に支持したことを特徴とする請求項１乃至５何れか１項記載の筆記具。
【請求項７】
軸筒内に、前方側を縮径する段部と、該段部よりも後方側で前方へ向かって拡径する筆記芯支持傾斜面とを備え、
前記筆記芯の外周部に、径外方向へ突出する筆記芯支持部を備え、
前記筆記芯支持部は、軸筒内周面と、前記段部と、前記筆記芯支持傾斜面との間の空間に設けられることで、前後方向及び軸筒径方向へ微動可能であることを特徴とする請求項１乃至６何れか１項記載の筆記具。
【請求項８】
前記筆記芯は、鉛芯と該鉛芯を繰出し可能に保持する鉛芯繰出し機構とを有するシャープペンシル用筆記芯であり、繰り出される前記鉛芯を前記ホルダーに挿通するように軸筒内に支持されていることを特徴とする請求項１乃至７何れか１項記載の筆記具。
【請求項９】
前記鉛芯繰出し機構は、鉛芯を内在するとともに軸筒内で進退するように保持された芯タンクと、該芯タンクの前端に接続されて鉛芯を挟持するチャックと、該チャックに対し後方側へ外れるように嵌り合うクラッチリングと、前記クラッチリングよりも前方側で鉛芯を弾性的に保持する芯ブレーカと、前記チャック及び前記クラッチリングを進退可能に内在するとともに前記芯ブレーカを進退不能に内在する保持筒と、該保持筒に対し前記芯タンクを後方へ付勢する芯タンク付勢部材とを備え、前記保持筒内に、前記クラッチリングを後方側から受ける後側当接部と前方へ移動した際の同クラッチリングを前方側から受ける前側当接部とを設けたことを特徴とする請求項８記載の筆記具。
【請求項１０】
前記ホルダーを、前記保持筒の前端側に、進退可能に嵌め合せたことを特徴とする請求項９記載の筆記部。
【請求項１１】
前記チャックと前記芯ブレーカとの間に位置するとともに鉛芯を挿通した状態で進退可能なスライド筒と、該スライド筒を前記保持筒に対し後方へ付勢するスライド筒付勢部材とを具備したことを特徴とする請求項９又は１０記載の筆記具。
【請求項１２】
軸筒内に、前記筆記芯を前記軸筒に対し前方へ付勢する筆記芯付勢部材を設け、前記筆記芯が、所定の筆圧以上の後方への力により、前記筆記芯付勢部材の付勢力に抗して後退するようにしたことを特徴とする請求項１乃至１１何れか１項記載の筆記具。
【発明の詳細な説明】
【技術分野】
【０００１】
本発明は、シャープペンシルや、ボールペン、サインペン、マーカーペン、修正ペン等、軸筒の前端から筆記部を突出させるようにした筆記具に関するものである。
【背景技術】
【０００２】
従来、この種の発明には、特許文献１に記載されるもののように、軸筒（４０）と、該軸筒（４０）の前側開口部に挿通されるとともに該軸筒（４０）の前端から前方へ突出したホルダー（スライダー１０）と、該ホルダー（スライダー１０）に挿通されるとともに該ホルダー（スライダー１０）の前端から前方へ鉛芯（１）を突出させた筆記芯（繰出し機構２０及び芯タンク２２等）とを備えたシャープペンシルがある。
【０００３】
通常、前記のようなシャープペンシルでは、軸筒（４０）を適度な角度に傾けた状態で握られ、前記ホルダー（スライダー１０）から突出した鉛芯（１）が紙面に押し付けられて筆記が行われる。
このため、鉛芯（１）に対しては、軸方向の押圧力と、該軸方向に交差方向の押圧力が加わることになり、前記押圧力によって鉛芯（１）が折れてしまうおそれがある。
また、前記のようにして、ホルダーから突出した筆記芯の前側部分（例えば、鉛芯等）を損傷してしまうという問題は、シャープペンシルのみならず、ボールペン（特に先端チップが細長なニードルタイプのボールペン）や、サインペン、マーカーペン、修正ペン等についても起こり得ることである。
【先行技術文献】
【特許文献】
【０００４】
【特許文献１】特開２００３−１１５８２号公報
【発明の概要】
【発明が解決しようとする課題】
【０００５】
本発明は上記従来事情に鑑みてなされたものであり、その課題とする処は、軸筒前端から突出する筆記芯の前側部分を効果的に保護することができる筆記具を提供することにある。
【課題を解決するための手段】
【０００６】
上記課題を解決するための一手段は、軸筒と、該軸筒の前側開口部に挿通されるとともに該軸筒の前端から前方へ突出したホルダーと、該ホルダーの内周面に接して該ホルダーに挿通されるとともに該ホルダーの前端から前方へ突出するように軸筒に支持された筆記芯とを備えた筆記具において、軸筒と前記ホルダーの間に、前記ホルダーに加わる軸筒径外方向の力により前記ホルダーを軸筒及び前記筆記芯に相対し前進させる運動方向変換手段が具備されていることを特徴とする。
【発明の効果】
【０００７】
本発明は、以上説明したように構成されているので、軸筒前端から突出する筆記芯の前側部分を効果的に保護することができる。
【図面の簡単な説明】
【０００８】
【図１】本発明に係る筆記具の一例を示す断面図である。
【図２】同筆記具の要部拡大斜視図である。
【図３】進退部材と軸筒との係合関係を示す平面図である。
【図４】同筆記具の前端側拡大断面図であり、（ａ）は通常の筆記状態を示し、（ｂ）はホルダーが前進した状態を示す。なお、本図においては、（ａ）に対し移動した部分のみをハッチングして（ｂ）に示している。
【図５】同筆記具について、ホルダーが前進した状態を示す全体断面図である。
【図６】同筆記具の要部断面図であり、（ａ）は通常状態を示し、（ｂ）は筆記芯が後方へ押された状態を示す。なお、本図においては、（ａ）に対し移動した部分のみをハッチングして（ｂ）に示している。
【図７】同筆記具の要部断面図であり、（ａ）は通常状態を示し、（ｂ）は芯タンクに前方への押圧力が加わった状態を示す。なお、本図においては、（ａ）に対し移動した部分のみをハッチングして（ｂ）に示している。
【図８】本発明に係る筆記具の他例を示す前端側拡大断面図であり、（ａ）は通常の筆記状態を示し、（ｂ）はホルダーが前進した状態を示す。なお、本図においては、（ａ）に対し移動した部分のみをハッチングして（ｂ）に示している。
【図９】（ａ）〜（ｃ）の各々にカム斜面の変形例を示す断面図である。
【図１０】本発明に係る筆記具の他例を示す要部断面図である。
【図１１】本発明に係る筆記具の他例を示す要部断面図である。
【図１２】本発明に係る筆記具の他例を示す要部断面図である。
【図１３】ホルダーの他例を示す斜視図である。
【発明を実施するための形態】
【０００９】
本実施の形態の第一の特徴は、軸筒と、該軸筒の前側開口部に挿通されるとともに該軸筒の前端から前方へ突出したホルダーと、該ホルダーの内周面に接して該ホルダーに挿通されるとともに該ホルダーの前端から前方へ突出するように軸筒に支持された筆記芯とを備えた筆記具において、軸筒と前記ホルダーの間に、前記ホルダーに加わる軸筒径外方向の力により前記ホルダーを軸筒及び前記筆記芯に相対し前進させる運動方向変換手段が具備されている（図４参照）。
この構成によれば、筆記芯におけるホルダーから突出した部分に、筆圧等により軸筒径外方向の力が加わり、該力がホルダーに加わると、ホルダーが軸筒及び筆記芯に相対し前進し、筆記芯の前側を覆い保護する。このため、筆記芯の損傷等を防ぐことができる。
このように、前記特徴を具備した発明は、筆圧で前進するホルダーによって筆記芯の前側部分を効果的に保護するという従来技術にはない技術思想を有するものである。
【００１０】
なお、前記「運動方向変換手段」の具体例としては、前記ホルダーの軸筒径外方向の運動を軸筒前進方向の運動に変換するようにカム斜面（傾斜面）を用いた態様や、前記ホルダーの軸筒径外方向の運動を軸筒前進方向の運動に変換するようにリンク部材を用いた態様等が挙げられる。
また、前記「筆記芯」の具体例としては、鉛芯をホルダーに挿通して該ホルダーの前端から前方へ突出させるようにしたシャープペンシル用筆記芯（シャープペンシル用リフィールと呼称される場合もある）や、先端チップをホルダーに挿通して該ホルダーの前端から前方へ突出させるようにしたボールペン用筆記芯（ボールペン用リフィール）、ホルダーに挿通されるとともに該ホルダーの前端から筆記部を前方へ突出させるようにしたサインペンやマーカーペンの芯体、または修正ペン用筆記芯等が挙げられる。
また、前進した際の前記ホルダーを初期位置に戻す手段は、特に限定しないが、例えば、前記ホルダーを軸筒に対し後方へ付勢するようにホルダー付勢部材を設けた態様や、前記ホルダーに接続されるとともに軸筒外に露出したレバー部材を設け、該レバー部材に対する手動操作により前記ホルダーが初期位置に戻されるようにした態様等とすることが可能である。
【００１１】
第二の特徴としては、前記運動方向変換手段は、軸筒と前記ホルダーとのうちの少なくとも一方に、カム斜面を設け、前記ホルダーを、前記カム斜面を介して軸筒に進退可能に係合してなり、前記カム斜面は、前記ホルダーに加わる軸筒径外方向の力により前記一方に対する他方に摺接して前記ホルダーを前進させるように傾斜している。
この構成によれば、ホルダーから前方へ突出した筆記芯に対し軸筒径外方向の力が加わり、この力がホルダーに加わると、前記カム斜面が前記一方に対する他方に摺接して前記ホルダーが筆記芯に相対し前進する。
なお、前記「軸筒と前記ホルダーとのうちの少なくとも一方に、カム斜面を設け、前記ホルダーを、前記カム斜面を介して軸筒に進退可能に係合してなり」という構成には、前方へ向かって拡径するカム斜面を前記ホルダーの外周面に設け、このカム斜面を介して前記ホルダーを軸筒の前側開口部に進退可能に係合した態様（図４参照）や、前方へ向かって拡径するカム斜面を軸筒の前側開口部に設け、このカム斜面を介して前記ホルダーを軸筒の前側開口部に進退可能に係合した態様（図８参照）、後方へ向かって拡径するカム斜面を前記ホルダーの後端部に設け、このカム斜面を介して前記ホルダーを軸筒の前端縁に進退可能に係合した態様（図１０参照）等を含む。
また、前記「カム斜面」には、直線状の傾斜面（図４参照）や、凸曲面状の傾斜面（図９（ａ）参照）、凹曲面状の傾斜面（図９（ｂ）参照）、断続的な傾斜面（図９（ｃ）参照）等を含む。
【００１２】
第三の特徴としては、より好ましい具体的態様として、前記カム斜面は、前記ホルダーの外周面と軸筒の前側開口部とのうちの少なくとも一方に、前方へ向かって拡径するように設けられ、前記一方に対する他方に摺接して前記ホルダーを前進させる。
【００１３】
第四の特徴としては、より好ましい具体的態様として、前記ホルダーは、軸筒及び前記筆記芯に相対し前進した前進位置と、その前進前の初期位置との間で進退するように設けられ、前記初期位置では軸筒の前側開口部に対し軸筒径方向へ移動不能に嵌り合い、前記前進位置では前記前側開口部に対し軸筒径方向への遊びを有する状態で嵌り合うように形成される。
【００１４】
第五の特徴としては、前記ホルダーを軸筒に対し後方へ付勢するように、ホルダー付勢部材を設けた。
この構成によれば、筆記芯に対する交差方向の力が解除された際に、ホルダーを、ホルダー付勢部材の付勢力によって自動的に後退させることができる。
【００１５】
第六の特徴としては、より好ましい具体的態様として、前記筆記芯を、前記ホルダーよりも後方側で軸筒に対し軸筒径方向へ微動可能に支持した。
【００１６】
第七の特徴としては、より好ましい具体的態様として、軸筒内に、前方側を縮径する段部と、該段部よりも後方側で前方へ向かって拡径する筆記芯支持傾斜面とを備え、前記筆記芯の外周部に、径外方向へ突出する筆記芯支持部を備え、前記筆記芯支持部は、軸筒内周面と、前記段部と、前記筆記芯支持傾斜面との間の空間に設けられることで、前後方向及び軸筒径方向へ微動可能である。
【００１７】
第八の特徴としては、より好ましい具体的態様として、前記筆記芯は、鉛芯と該鉛芯を繰出し可能に保持する鉛芯繰出し機構とを有するシャープペンシル用筆記芯であり、繰り出される前記鉛芯を前記ホルダーに挿通するように軸筒内に支持されている。
ここで、前記「シャープペンシル用筆記芯」には、鉛芯をノック操作により繰り出すようにした構成や、鉛芯を回転操作により繰り出すようにした構成、鉛芯を当該筆記具を振る操作により繰り出すようにした構成、周知のシャープペンシル用筆記芯（シャープペンシル用リフィール）の構造を適用することが可能である。さらに、前記「シャープペンシル用筆記芯」には、突出した鉛芯を筆圧により回転させる機構を備えたシャープペンシル用筆記芯や、突出した鉛芯を押しボタン操作等により回転させる機構を備えたシャープペンシル用筆記芯等も含む。
前記構成によれば、鉛芯をホルダーから前方へ突出させた状態で該鉛芯に交差方向の力が加わった場合に、該鉛芯を前進するホルダーによって覆い保護することができる。
【００１８】
第九の特徴としては、より好ましい具体的態様として、前記鉛芯繰出し機構は、鉛芯を内在するとともに軸筒内で進退するように保持された芯タンクと、該芯タンクの前端に接続されて鉛芯を挟持するチャックと、該チャックに対し後方側へ外れるように嵌り合うクラッチリングと、前記クラッチリングよりも前方側で鉛芯を弾性的に保持する芯ブレーカと、前記チャック及び前記クラッチリングを進退可能に内在するとともに前記芯ブレーカを進退不能に内在する保持筒と、該保持筒に対し前記芯タンクを後方へ付勢する芯タンク付勢部材とを備え、前記保持筒内に、前記クラッチリングを後方側から受ける後側当接部と前方へ移動した際の同クラッチリングを前方側から受ける前側当接部とを設けた。
【００１９】
第十の特徴としては、前記ホルダーを、前記保持筒の前端側に、進退可能に嵌め合せた。
この構成によれば、ホルダーの進退動作を、よりスムーズにすることができる。
【００２０】
第十一の特徴としては、前記チャックと前記芯ブレーカとの間に位置するとともに鉛芯を挿通した状態で進退可能なスライド筒と、該スライド筒を前記保持筒に対し後方へ付勢するスライド筒付勢部材とを具備した。
この構成によれば、例えば、チャックと芯ブレーカとの間に折れた鉛芯が詰まるようなことを、これらの間に介在するスライド筒によって防ぐことができる。
【００２１】
第十二の特徴としては、軸筒内に、前記筆記芯を前記軸筒に対し前方へ付勢する筆記芯付勢部材を設け、前記筆記芯が、所定の筆圧以上の後方への力により、前記筆記芯付勢部材の付勢力に抗して後退するようにした。
この構成によれば、筆記芯に対し後方への過剰な押圧力が加わると、筆記芯及び進退部材が、筆記芯付勢部材の付勢力に抗して後退する。よって、筆記芯が損傷するようなことを防ぐことができる。
【実施例】
【００２２】
次に、上記特徴を有する好ましい実施例を、図面に基づいて詳細に説明する。なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、前記軸筒径方向に沿って軸筒中心から離れる方向を意味する。「軸筒径内方向」とは、前記軸筒径方向に沿って軸筒中心へ近づく方向を意味する。
【００２３】
この筆記具１は、図１及び図２に示すように、軸筒１０と、該軸筒１０の前側開口部１１ａに挿通されるとともに該軸筒１０の前端から前方へ突出したホルダー２０と、該ホルダー２０に鉛芯３１を挿通させて該ホルダー２０の前端から前方へ突出させる筆記芯３０と、筆記芯３０（詳細には筆記芯支持部３２ｇ２０）に対し後方から当接するとともに軸筒１０に対し所定量進退可能な進退部材４０と、該進退部材４０を軸筒１０に対し前方へ付勢する筆記芯付勢部材５０とを具備している。
なお、本実施例において、筆記芯３０は、鉛芯３１を含む複数の部材からなるものであり、鉛芯３１のみを示すものではない。
【００２４】
軸筒１０は、図示例によれば、前側軸筒１１の後端側に、螺合や嵌合、接着等の接続手段によって後側軸筒１２を接続し固定してなり、前端側を先細り状にした略長尺筒状に形成される。
この軸筒１０の他例としては、一本の筒体からなる態様や、筒体の先端側に別体の先口を接続した態様、３本以上の筒体からなる態様等とすることが可能である。
【００２５】
この軸筒１０の先端側には、ホルダー２０を挿通し前方へ突出させるための前側開口部１１ａが設けられる。この前側開口部１１ａは、その後側の部分よりも軸筒１０内周面を縮径しており、この縮径部分の内側の後端面により、ホルダー付勢部材１３の前端を受けている。
この前側開口部１１ａは、図示例によれば、軸筒軸心と略平行な円筒状の孔の内周面であり、その前端縁の部分には、ホルダー２０のカム斜面２０ａとの摩擦抵抗を軽減するためにＲ面取り状の凸曲面部１１ｂが設けられる。
【００２６】
また、軸筒１０内周面において、ホルダー２０よりも後側（詳細にはバネ受け部２１よりも後側）には、前方側を縮径する環状の段部１１ｃが設けられる。この段部１１ｃは、後述する筆記芯３０の突起３２ｇ２１を前方から受け、筆記芯３０全体の前方への移動を規制する。
また、軸筒１０内周面において、段部１１ｃよりも後側には、前方側を縮径する環状の段部１１ｎが設けられる。この段部１１ｎは、後述する進退部材４０の前端を前方から受けるように当接して、進退部材４０の前方への移動を規制する。
【００２７】
また、軸筒１０の周壁には、軸筒径外方向へ凹むとともに軸筒軸方向へ延設された凹部１２ａが設けられ、この凹部１２ａには、進退部材４０が所定量進退するように係合されている。
この凹部１２ａは、図３に示すように、後側軸筒１２の周壁の前端側に、該周壁を貫通する平面視矩形状の孔を設け、該孔を含む後側軸筒１２の前端側を、前側軸筒１１内に挿入することで凹状に形成される。該凹部１２ａの軸筒軸方向の長さは、進退部材４０を所定量進退可能なように適宜に設定される。
【００２８】
ホルダー付勢部材１３は、図示例によれば、中心側にホルダー２０を遊挿した圧縮コイルバネであり、バネ受け部２１を介してホルダー２０を後方へ付勢している。
なお、このホルダー付勢部材１３の他例としては、エラストマー樹脂やゴム等の弾性体を用いた態様や、板バネ等の弾性体を用いた態様、ホルダー付勢部材１３をその後方から引っ張る引張バネを用いた態様とすることが可能である。
【００２９】
ホルダー２０は、軸筒１０及び筆記芯３０に相対し前進した前進位置と、その前進前の初期位置との間で進退するように、該ホルダー２０外周部のカム斜面２０ａを介して前側開口部１１ａ（詳細には凸曲面部１１ｂ）に進退可能に係合している。
そして、ホルダー２０は、前記初期位置（図４（ａ）参照）では、環状のカム斜面２０ａを軸筒１０の前側開口部１１ａに全周にわたって接触させることで、前側開口部１１ａに対し軸筒径方向へ移動不能に嵌り合う。また、ホルダー２０は、カム斜面２０ａよりも後側の部分の外形を前側開口部１１ａ内径よりも小さくしているため、前記前進位置（図４（ｂ）参照）では、前記前側開口部１１ａに対し軸筒径方向へ移動可能な遊びを有する状態で嵌り合う。
また、ホルダー２０は、軸筒１０内のホルダー付勢部材１３によって軸筒後方へ付勢されている。
【００３０】
より詳細に説明すれば、このホルダー２０は、前側開口部１１ａを前後方向へ貫通する略円筒状の部材であり、その外周部分に、前側開口部１１ａの前端縁（詳細には凸曲面部１１ｂ）に摺接する環状のカム斜面２０ａを有する。
このカム斜面２０ａは、前方へ向かって拡径する円錐面状に形成され、前側開口部１１ａ（詳細には凸曲面部１１ｂ）に摺接するように配置されて、ホルダー２０に加わる軸筒径外方向の力により該ホルダー２０を軸筒１０及び筆記芯３０に相対し前進させる運動方向変換手段を構成する。
そして、ホルダー２０におけるカム斜面２０ａよりも前側の部分は、図示例によれば縮径される。
【００３１】
また、ホルダー２０の内部には、カム斜面２０ａよりも前側で鉛芯３１の外周面に摺接可能な鉛芯摺動孔２０ｂと、該鉛芯摺動孔２０ｂよりも後側で拡径されるとともに筆記芯３０に摺接可能な筆記芯摺動孔２０ｃとを有する。
【００３２】
鉛芯摺動孔２０ｂは、鉛芯３１の外周面に接触又は近接するように、鉛芯３１の外径よりも若干大きい内径に形成された孔であり、ホルダー２０の前端部から後方へ延びて筆記芯摺動孔２０ｃ内に連通している。
【００３３】
筆記芯摺動孔２０ｃは、筆記芯３０の前端側の外周面に接触又は近接するように、筆記芯３０前端側の前側保持部３２ｇ１の外径よりも若干大きい内径に形成された孔である。
なお、図示例の筆記芯摺動孔２０ｃは、前側保持部３２ｇ１の外周面形状に沿って、前方へ縮径する段付き状に形成されるが、この筆記芯摺動孔２０ｃの他例としては、筆記芯３０の前端側に摺接して進退するようにすれば、段のない円筒状とすることも可能である。
【００３４】
上記構成のホルダー２０は、外周のカム斜面２０ａを介して軸筒１０の前側開口部１１ａに進退可能に係合するとともに、軸筒１０内に挿入される。そして、軸筒１０内において、ホルダー２０の後端側の外周面には、バネ受け部２１が嵌合等の接続手段により接続固定されている。
【００３５】
バネ受け部２１は、ホルダー２０の後端側の外径よりも大きい外径を有するとともに軸筒１０内周面に対し隙間を有する筒状の部材であり、その前端側の環状段部を、ホルダー付勢部材１３の後端に当接させている。このバネ受け部２１は、前記隙間により、軸筒軸心に対し若干傾くことが可能である（図５参照）。
なお、このバネ受け部２１の他例としては、ホルダー２０に対し一体に形成された部位とすることも可能である。すなわち、例えば、ホルダー２０の後端側の外周面に突起を設けて、該突起をホルダー付勢部材１３の後端に後方から当接させる構成としてもよい。
【００３６】
筆記芯３０は、鉛芯３１と該鉛芯３１を繰出し可能に保持する鉛芯繰出し機構３２とを有するシャープペンシル用筆記芯であり、繰り出される鉛芯３１をホルダー２０に挿通するように軸筒１０内に配置されている。
この筆記芯３０は、軸筒１０内で軸筒軸方向及び軸筒径方向へ微動するように柔軟に支持され、この支持構造により、ホルダー２０の傾動を容易にしている。
【００３７】
鉛芯３１は、長尺円柱状の周知のシャープペンシル用鉛芯である。
【００３８】
鉛芯繰出し機構３２は、鉛芯３１を内在するとともに軸筒１０内で所定量進退するように保持された芯タンク３２ａと、該芯タンク３２ａの前端に接続されて鉛芯３１を挟持するチャック３２ｂと、該チャック３２ｂに対し後方側へ外れるように嵌り合うクラッチリング３２ｃと、クラッチリング３２ｃよりも前方側で鉛芯を弾性的に保持する芯ブレーカ３２ｄと、チャック３２ｂと芯ブレーカ３２ｄとの間に位置するとともに鉛芯３１を挿通した状態で進退可能なスライド筒３２ｅと、該スライド筒３２ｅを後述する保持筒３２ｇに対し後方へ付勢するスライド筒付勢部材３２ｆと、これらチャック３２ｂ、クラッチリング３２ｃ、芯ブレーカ３２ｄ、スライド筒３２ｅ及びスライド筒付勢部材３２ｆ等を内在する保持筒３２ｇと、該保持筒３２ｇに対し芯タンク３２ａを後方へ付勢する芯タンク付勢部材３２ｈとを備える。
【００３９】
芯タンク３２ａは、複数の鉛芯３１を収納可能な長尺円筒状に形成され、その後端部を、軸筒１０の後端開口部の近くに配置している。この芯タンク３２ａは、弾性的に撓ることが可能なように合成樹脂材料から成型されている。
この芯タンク３２ａの後端には、鉛芯３１を軸筒１０後方から芯タンク３２ａ内へ導く鉛芯導入管３２ｉが接続される。そして、該鉛芯導入管３２ｉの後部側には、鉛芯導入管３２ｉの後端開口部を塞ぐ消しゴム３２ｊと、該消しゴム３２ｊを後方から覆うノックキャップ３２ｋとが、それぞれ着脱可能に接続されている。ノックキャップ３２ｋの後端側は、ノック操作が可能なように軸筒１０の後端から後方へ突出している。
【００４０】
また、芯タンク３２ａの前端には、接続部材３２ｍが一体的に接続される。
接続部材３２ｍは、芯タンク３２ａの前端に固定されて鉛芯３１を挿通する略筒状の部材であり、その前端にチャック３２ｂ後端側を固定するとともに、前後方向の中央側の鍔部分により芯タンク付勢部材３２ｈの後端を受けている。
なお、他例としては、この接続部材３２ｍを省き、芯タンク３２ａの前端側に直接的にチャック３２ｂ後端側を接続するとともに、芯タンク付勢部材３２ｈの後端を芯タンク３２ａの前端縁によって直接的に受ける構成とすることも可能である。
【００４１】
チャック３２ｂは、弾性的に撓むことが可能な合成樹脂材料又は金属材料から形成され、鉛芯３１の周囲に位置するように同芯状に配置された複数（例えば２〜４程度）の爪部を備え、これら爪部を軸筒径内方向へ撓ませることで鉛芯３１を後退不能に挟持し、これら爪部を弾性的に復元することで鉛芯３１を解放する。
このチャック３２ｂは、前記爪部を含む前端側部分が、保持筒３２ｇ内に挿入される。前記爪部の前端側は、その外径部分が後側部分よりも拡径している。
【００４２】
クラッチリング３２ｃは、略円筒状の部材であり、後述する保持筒３２ｇの内周面に対し所定量進退するように係合している。
このクラッチリング３２ｃは、チャック３２ｂの複数の爪部に対し後方側から嵌り合って、前記複数の爪部を閉じた状態に保持し、チャック３２ｂと共に前進した際に、保持筒３２ｇに係止されて、前記複数の爪部から後方へ外れる。
なお、前記チャック３２ｂ及びクラッチリング３２ｃは、周知構造のものとすることが可能である。
【００４３】
芯ブレーカ３２ｄは、合成ゴムやエラストマー樹脂等の弾性体からなる円筒状部材であり、保持筒３２ｇの前端側内部に進退不能に嵌合され、内部に挿通される鉛芯３１を弾性的に把持する。
【００４４】
スライド筒３２ｅは、外周面の段部によりスライド筒付勢部材３２ｆの後端を受けるとともに、中心部に鉛芯３１を遊挿する略円筒状の部材であり、スライド筒付勢部材３２ｆにより後方へ付勢されて、チャック３２ｂの前端に当接している。このスライド筒３２ｅの内径は、鉛芯３１の外径よりも若干大きく設定されている。
【００４５】
スライド筒付勢部材３２ｆは、鉛芯３１の周囲に環状に位置する圧縮コイルバネであり、その前端を保持筒３２ｇ内に係止するとともに、後端をスライド筒３２ｅに当接させている。
このスライド筒付勢部材３２ｆの他例としては、エラストマー樹脂やゴムからなる弾性体や、スライド筒３２ｅを後方へ引っ張るようにした引張バネ等とすることも可能である。
【００４６】
保持筒３２ｇは、ホルダー２０内に進退可能に挿入された前側保持部３２ｇ１と、該前側保持部３２ｇ１の後端側に一体的に接続された後側保持部３２ｇ２とから一体に構成される。
なお、本実施例では、特に生産性の良好な態様として、保持筒３２ｇを前記のように複数部材から構成したが、他例としては、これらを一体の部材から構成することも可能である。
【００４７】
前側保持部３２ｇ１は、前方側を縮径した段部を有する略筒状に形成され、前端側と後端側の外周面をそれぞれホルダー２０の内面に摺接させて、ホルダー２０の筆記芯摺動孔２０ｃに挿入されている。
この前側保持部３２ｇ１の内部には、上記したチャック３２ｂの前端側、クラッチリング３２ｃ、芯ブレーカ３２ｄ、スライド筒３２ｅ及びスライド筒付勢部材３２ｆが挿入されている。
この前側保持部３２ｇ１の内周面には、クラッチリング３２ｃを後方側から受ける後側当接部３２ｇ１１と、前方へ移動した際の同クラッチリング３２ｃを前側から受ける前側当接部３２ｇ１２とが設けられる。図示例によれば、後側当接部３２ｇ１１は、後側保持部３２ｇ２の前端部である。また、前側当接部３２ｇ１２は、前側保持部３２ｇ１の前部側を縮径してなる段部である。
【００４８】
後側保持部３２ｇ２の内部には、その前側に、チャック３２ｂの基端側が固定されるとともに、後側に、接続部材３２ｍの前端側が進退可能に挿入されている。
また、後側保持部３２ｇ２の前端部は、前側保持部３２ｇ１に接続固定され、後側保持部３２ｇ２の後端部は、芯タンク付勢部材３２ｈの前端を受けている。
【００４９】
また、後側保持部３２ｇ２の後部側の外周部には、径外方向へ突出する筆記芯支持部３２ｇ２０が設けられる。この筆記芯支持部３２ｇ２０は、軸筒１０内周面と、段部１１ｃと、筆記芯支持傾斜面４１との間の空間に設けられることで、前後方向及び軸筒径方向へ微動可能である。
詳細に説明すれば、この筆記芯支持部３２ｇ２０は、軸筒１０内の段部１１ｃに対し後方から当接可能な突起３２ｇ２１と、該突起３２ｇ２１よりも後側で進退部材４０の筆記芯支持傾斜面４１に対し前方から当接可能な当接部３２ｇ２２とを有する。
【００５０】
突起３２ｇ２１は、筆記芯３０を、軸筒１０に対し前進不能であって且つホルダー２０の前進に伴う傾動により、軸筒径方向へ移動するように、軸筒１０に係合している。
詳細に説明すれば、突起３２ｇ２１は、図２に示すように、後側保持部３２ｇ２の外周部に、軸筒周方向に間隔を置いて複数（図示例によれば４つ）設けられる。各突起３２ｇ２１は、軸筒径外方向へ突出している。軸筒１０内周面と各突起３２ｇ２１との間には、筆記芯３０の軸筒径方向への移動を可能にする隙間が確保される。すなわち、複数の突起３２ｇ２１は、その外径が、軸筒１０内径よりも小さく設定されている。
なお、前記複数の突起３２ｇ２１は、環状やその他の形状の突起に置換することが可能である。
【００５１】
また、当接部３２ｇ２２は、突起３２ｇ２１よりも後側に、突起３２ｇ２１と一体に設けられ、後述する進退部材４０前端の筆記芯支持傾斜面４１に摺接する凸曲状に形成される。
そして、軸筒１０内周面の段部１１ｃと、進退部材４０前端の筆記芯支持傾斜面４１との間の幅は、突起３２ｇ２１及び当接部３２ｇ２２を前後方向へ微動可能なように設定される。
【００５２】
よって、前記構成によれば、筆記芯支持部３２ｇ２０（詳細には、複数の突起３２ｇ２１及び当接部３２ｇ２２）は、軸筒径方向へ所定量微動可能になり、且つ軸筒軸方向へも所定量微動可能になる。このため、筆記芯３０全体は、図５に示すように、これら突起３２ｇ２１及び当接部３２ｇ２２を支点にして、その前側の部分を軸筒径方向の一方へ回動させることが可能であり、この回動の際、前記支点の後側の部分は軸筒径方向の反対側へ回動する。
【００５３】
また、進退部材４０は、その中心側に筆記具１を遊挿する略円筒状の部材である。この進退部材４０の前端面の内径寄りには、前方へ向かって略円錐面状に拡径する筆記芯支持傾斜面４１が形成される。
この筆記芯支持傾斜面４１は、鉛芯繰出し機構３２側の当接部３２ｇ２２に摺接して、ホルダー２０及び鉛芯繰出し機構３２の傾き運動を容易にする。
【００５４】
また、進退部材４０の外周面には、筆記芯付勢部材５０の前端を受ける段部４２が設けられ、該段部４２よりも後側に、軸筒１０側の凹部１２ａに対し進退可能に係合する係合突起４３が設けられる。段部４２は、前側を拡径させる環状の段部である。
係合突起４３は、軸筒１０側の複数の凹部１２ａにそれぞれ対応するように、複数（図示例によれば２つ）設けられる。各係合突起４３は、図３に示すように、進退部材４０の周壁に形成されるＵ字状の切欠きの内側部分に設けられている。この構成によれば、係合突起４３を軸筒径方向へ弾性的に容易に撓ませることができ、ひいては、図３に示すように、進退部材４０を後側軸筒１２内へ挿入して、係合突起４３を凹部１２ａ内に係止する作業を容易にすることができる。
各係合突起４３は、凹部１２ａ内で前後方向へ移動可能であり、通常状態では、後述する筆記芯付勢部材５０の付勢力により凹部１２ａ内の前端寄りに保持されている。
【００５５】
筆記芯付勢部材５０は、進退部材４０の外周部に環状に装着され、その前端を進退部材４０外周の段部４２に当接させるとともに、その後端を、後側軸筒１２前端である段部１２ｂに当接させて、進退部材４０を前方へ付勢している。
この筆記芯付勢部材５０の弾発力は、筆記芯３０が所定の筆圧以上の後方への力により後退するように、適宜に設定される。
【００５６】
なお、筆記具１には、上記した４つの付勢部材が設けられるが、これら付勢部材の付勢力は、小さい順に、スライド筒付勢部材３２ｆ、ホルダー付勢部材１３、筆記芯付勢部材５０、芯タンク付勢部材３２ｈとなっている。
【００５７】
次に、上記構成の筆記具１について、その特徴的な作用効果を詳細に説明する。
先ず、鉛芯３１を突出させるには、ノックキャップ３２ｋに対し軸筒１０に相対する押圧力が加わると、保持筒３２ｇが筆記芯支持部３２ｇ２０を段部１１ｃに当接させて前進不能になり、この状態で、芯タンク３２ａの前進に伴い、チャック３２ｂが鉛芯３１を挟持して前進し、鉛芯３１の前端側が芯ブレーカ３２ｄによって弾性的に挟持され、さらに、その前進の途中でクラッチリング３２ｃが保持筒３２ｇ（詳細には、前側当接部３２ｇ１２）に係止されて外れ、チャック３２ｂが軸筒径外方向へ開放する。そして、前記押圧力が除去されると、チャック３２ｂが、後退しクラッチリング３２ｃに嵌ることで狭まり、鉛芯３１を再度挟持する。これらの動作が、ノック操作により繰り返されて、鉛芯３１は前進し、ホルダー２０の前端から突出する。
そして、前記チャック３２ｂの前進の際には、図７（ａ）（ｂ）に示すように、チャック３２ｂに押されて、鉛芯３１を覆い保護するスライド筒３２ｅも、スライド筒付勢部材３２ｆの付勢力に抗して前進する。
鉛芯３１における芯ブレーカ３２ｄとスライド筒３２ｅの間の部分が、スライド筒３２ｅによって覆い保護されるため、当該筆記具１の落下等によって鉛芯３１が折れたり、折れた鉛芯や、残芯となった鉛芯等が、芯ブレーカ３２ｄとチャック３２ｂとの間に詰まったりするようなことも防ぐことができる。
【００５８】
また、軸筒１０を傾けて被筆記面Ｐに押し付けた通常の筆記状態においては、図４（ａ）に示すように、ホルダー２０から前方へ突出した筆記芯３０の鉛芯３１に対し、被筆記面Ｐから、該鉛芯３１に交差する方向（換言すれば、軸筒径方向）の反力（筆圧）を受ける。この際、この反力が通常の筆圧範囲よりも大きい場合には、この反力を受けて、ホルダー２０は、該ホルダー２０のカム斜面２０ａを前側開口部１１ａ（詳細には凸曲面部１１ｂ）に摺接させて軸筒径外方向へ移動しながら、ホルダー付勢部材１３の付勢力に抗して前進する。この前進の際、鉛芯３１を含む筆記芯３０は、筆記芯支持部３２ｇ２０を前後方向及び軸筒径方向へ微動可能なため（図１及び図５参照）、ホルダー２０及び鉛芯繰出し機構３２と共に傾くようにして軸筒径方向へ移動する。
そして、筆記芯３０を構成する鉛芯３１の前端側が、前進したホルダー２０によって覆われて保護される（図４（ｂ）参照）。
【００５９】
また、鉛芯３１が被筆記面Ｐから離れて、前記反力が除去されると、ホルダー２０が、ホルダー付勢部材１３の付勢力によって後退し、初期位置に戻される。
【００６０】
なお、ホルダー付勢部材１３の付勢力は、鉛芯３１に対する通常の交差方向の筆圧ではホルダー２０が前進せず、且つ鉛芯３１に対する交差方向の筆圧により鉛芯３１が折れてしまう前にホルダー２０が前進するように適宜に設定されている。
【００６１】
また、前記前進時の筆記芯３０全体の動きを説明すれば、筆記芯３０は、図５に示すように、突起３２ｇ２１及び当接部３２ｇ２２を支点にした前側の部分を、軸筒径方向の一方（図５によれば上方）へ回動させながら、その後方側の部分（芯タンク３２ａ等）を軸筒径方向の他方へ回動させる。
そして、芯タンク３２ａは、後端側の鉛芯導入管３２ｉを軸筒内周面に当接させることで弾性的に撓む。このような筆記芯３０全体の回動により、ホルダー２０は、傾動するようにして、スムーズに径外方向へ移動しながら前進する。
なお、前記回動の際、ホルダー２０から接続部材３２ｍまでの軸筒軸方向の範囲は、略直線状に維持される。このため、前記範囲が曲がって鉛芯３１が折れるようなことはない。また、鉛芯３１における接続部材３２ｍから後方へ突出する部分は、図５に示すように、接続部材３２ｍよりも内径の大きい芯タンク３２ａ内の空間に位置するため、鉛芯３１が芯タンク３２ａ内周面との接触により折れるようなこともない。
【００６２】
次に、鉛芯３１に対し軸筒軸方向の押圧力を受けた場合の動作について詳細に説明する。
突出した鉛芯３１を被筆記面Ｐに対し垂直に強く押し付ける等して、鉛芯３１が後方への押圧力を受けた場合には、図６（ａ）（ｂ）に示すように、前記押圧力は、先ず、鉛芯３１を後退不能に挟持しているチャック３２ｂに加わる。そして、チャック３２ｂに加わった押圧力は、クラッチリング３２ｃ及び保持筒３２ｇ等を介して進退部材４０に伝達し、進退部材４０が筆記芯付勢部材５０の付勢力に抗して後退する。
したがって、鉛芯３１は、図６（ｂ）に示すように、ホルダー２０内に没入し、前記押圧力による損傷等から免れる。
【００６３】
次に、本発明に係る筆記具における特徴部分の変形例について説明する。なお、以下に示す変形例は、上記筆記具１に対し一部を変更したものであるため、主にその変更部分について詳細に説明し、筆記具１と略同様の部分については、筆記具１と同一の符号を付けて重複する詳細説明を省略する。
【００６４】
図８（ａ）（ｂ）に示す筆記具２は、軸筒１０’の前側開口部１１ａ’にカム斜面１１ａ’を設けている。このカム斜面１１ａ’は、ホルダー２０’に加わる軸筒径外方向の力により、該ホルダー２０’を摺接させ前進させる運動方向変換手段を構成する。
軸筒１０’は、上記軸筒１０と同様に、単数もしくは複数の筒体から構成され、その前端側の縮径された開口部に、前方へ向かって拡径する環状のカム斜面１１ａ’を有する。
ホルダー２０’は、カム斜面１１ａ’を介して軸筒１０’前側開口部１１ａ’に進退可能に係合するとともに、軸筒１０’内のホルダー付勢部材１３によって軸筒後方へ付勢され、ホルダー付勢部材１３の付勢力に抗して前進した状態では軸筒径方向へ移動可能である。
すなわち、ホルダー２０’は、上記ホルダー２０に対し、上記カム斜面２０ａを軸筒１０’前側開口部のカム斜面１１ａ’に置換し、ホルダー２０’の外周面に環状突起２０ａ’を設けた構成になっている。環状突起２０ａ’は、カム斜面１１ａ’に摺接するように配置される。
よって、図８（ａ）（ｂ）に示す筆記具２によれば、上述した筆記具１と略同様に、ホルダー２０’から前方へ突出した筆記芯３０の鉛芯３１に、被筆記面Ｐから交差方向の反力（筆圧）が加わり、この反力が通常の筆圧範囲よりも大きい場合には、この反力を受けて、ホルダー２０’は、該ホルダー２０’の環状突起２０ａ’を、軸筒１０’の前側開口部１１ａ’のカム斜面１１ａ’に滑らせて軸筒径外方向へ移動しながら前進する。
よって、この筆記具２によっても、ホルダー２０’から突出した鉛芯３１を、前進するホルダー２０’によって覆い保護することができる。
【００６５】
なお、上記実施例によれば、ホルダー２０（又は２０’）が、軸筒径外方向へ移動しながら前進するようにして傾動する際、その後端側で、芯タンク３２ａが軸筒１０との当接により撓むようにしたが（図５参照）、他例としては、接続部材３２ｍに対し芯タンク３２ａを揺動可能に接続するようにしてもよい。この他例は、例えば、接続部材３２ｍの後端側と芯タンク３２ａの前端側との一方と他方に、遊びを有する状態で軸筒径方向に嵌り合う凹部と凸部を設ければよい。
【００６６】
また、上記実施例によれば、筆記芯３０をシャープペンシル用筆記芯（シャープペンシル用リフィールと呼称される場合もある）としたが、他例としては、筆記芯３０を、ボールペン用筆記芯（ボールペン用リフィール）や、サインペンの筆記芯、マーカーペンの筆記芯、修正ペンの筆記芯とすることも可能である。
例えば、ニードル状（換言すれば長尺円筒状）のボールペンチップを有するボールペン用筆記芯を上記筆記芯３０として用いた場合には、そのボールペンチップの前記ニードル状の部分をホルダー２０に挿通し、その前端部をホルダー２０（又は２０’）前端から前方へ突出させ、軸筒１０内では、前記ボールペン用筆記芯を、上記筆記芯３０と同様にして傾動可能に支持すればよい。
【００６７】
なお、筆記芯３０をシャープペンシル用筆記芯以外の筆記芯とした場合、該筆記芯の前端部がホルダー２０（又は２０’）前端から没入不能に突出した態様と、該筆記芯の前端部がホルダー２０（又は２０’）前端から出没する態様との双方が可能である。
【００６８】
また、上記実施例によれば、カム斜面を軸筒の前端側開口部とホルダーとのうちの一方のみに設けたが、他例としては、双方に設けて、カム斜面同士の摺接によりホルダーが前進する態様とすることも可能である。
【００６９】
また、上記実施例によれば、ホルダー２０のカム斜面２０ａを断面直線状の傾斜面としたが、カム斜面の他例としては、断面凸曲面状の傾斜面（図９（ａ）参照）、断面凹曲面状の傾斜面（図９（ｂ）参照）、断続的な傾斜面（図９（ｃ）参照）等とすることが可能である。
【００７０】
また、上記実施例によれば、カム斜面を、ホルダー２０の外周面や、軸筒１０の前側開口部に設けたが、他例としては、図１０に示すように、カム斜面をホルダー２０”の後端部に設けた態様とすることも可能である。
図１０に示す筆記具３は、ホルダー２０”の後端側に、軸筒１０”の前端縁に遊嵌する環状の凹部を設け、この凹部内の径外方向側の面を、前方へ向かって縮径するカム斜面２１”としている。ホルダー２０”の前端側には、鉛芯３１を覆うようにしてパイプ状の保護管２２”が固定されている。
この筆記具３によれば、上述した実施例と同様に、筆記芯３０前端の鉛芯３１を介してホルダー２０”に交差方向の力が加わると、カム斜面２１”が軸筒１０”の前端縁で滑って、ホルダー２０”及び保護管２２”が前進する（図１０の二点鎖線参照）。すなわち、カム斜面２１”は、該カム斜面２１”に加わる軸筒径外方向の力によりホルダー２０”を前進させる運動方向変換手段として機能する。
よって、鉛芯３１の前端側を前進する保護管２２”によって覆い保護することができる。
【００７１】
また、上記実施例によれば、筆記芯３０の筆記芯支持部３２ｇ２０と筆記芯付勢部材５０の間に進退部材４０を介在したが、図１１に示す筆記具４のように、進退部材４０を省くことも可能である。
図１１に示す筆記具４は、上記筆記具１から進退部材４０を省き、筆記芯付勢部材５０を筆記芯付勢部材５０’に置換したものである。
筆記芯付勢部材５０’は、前方へ向かって徐々に径を小さくした圧縮コイルスプリングであり、後端が後側軸筒１２前端に受けられた状態で、前端を筆記芯支持部３２ｇ２０に当接させることで、筆記芯３０を直接前方へ付勢している。
よって、図１１に示す筆記具４によっても、鉛芯３１に後方への過剰な押圧力が加わった際に、筆記芯３０を筆記芯付勢部材５０’の付勢力に抗して後退させて、鉛芯３１が折れるのを防ぐことができる。
【００７２】
また、上記運動方向変換手段（例えばカム斜面２０ａ等）は、ホルダーに加わる軸筒径外方向の力により該ホルダーを軸筒及び筆記芯に相対し前進させる構成であればよく、この運動方向変換手段の他例としては、図１２に示す態様とすることも可能である。
【００７３】
図１２に示す筆記具５は、上記筆記具１に対し、ホルダー２０をホルダー６０に置換したものである。
ホルダー６０は、軸筒１０の前側開口部１１ａに進退可能に挿通されるとともに該軸筒１０の前端から前方へ突出した略先細筒状の部材であり、内部には、筆記芯３０の鉛芯３１を接触させて挿通している。ホルダー６０の後端側は、バネ受け部２１に接続される。したがって、ホルダー６０は、ホルダー付勢部材１３により後方へ付勢される。
このホルダー６０は、軸筒１０の前側開口部１１ａに摺接する部分に、軸筒径内方向へ撓み可能な撓み片部６１を有する。
撓み片部６１は、図１３に示すように、ホルダー６０の後端側部分に、周方向に間隔を置いて複数設けられる。すなわち、ホルダー６０の後端側部分に、周方向に間隔を置いて複数の切欠を形成することで、隣り合う切欠の間に撓み片部６１が形成される。各撓み片部６１の内周面側には、各撓み片部６１を軸筒径内方向へ撓み可能にする空間が確保される。
これら撓み片部６１は、例えば、硬質合成樹脂からなるホルダー６０の後端側に、軟質合成樹脂材料（例えばエラストマー樹脂等）を二重成型することにより形成すればよい。
【００７４】
よって、図１２に示す筆記具５によれば、筆記芯３０前端の鉛芯３１を介してホルダー６０に交差方向の力が加わると、ホルダー６０後端側の撓み片部６１が撓み、該撓み片部６１の外周面にカム斜面６１ａ（図１２の二点鎖線参照）が形成される。
このため、ホルダー６０は、上述した実施例と同様に、前記カム斜面６１ａを軸筒１０の前側開口部１１ａに滑らせることで、ホルダー付勢部材１３の付勢力に抗して前進する。この前進は、撓み片部６１に作用する弾性的な復元力によって速やかに行われる。
よって、鉛芯３１の前端側を、前進するホルダー６０によって覆って保護することができる。
【００７５】
なお、上記筆記具５によれば、ホルダー６０の後端側を部分的に軟質合成樹脂材料により形成したが、他例としては、ホルダー６０全体を撓み可能な合成樹脂材料から形成するとともに、その後端側部分を上記撓み片部６１として機能させることも可能である。
【００７６】
また、上記筆記具５によれば、ホルダー６０の後端側に複数の撓み片部６１を設けたが、他例としては、ホルダー６０の後端側に軟質合成樹脂材料からなる連続筒状の撓み片部を形成することも可能である。
【符号の説明】
【００７７】
１，２，３，４，５：筆記具
１０，１０’，１０”：軸筒
１１ｃ：段部
１１ａ：前側開口部
１３：ホルダー付勢部材
２０，２０’，２０”，６０：ホルダー
２０ａ，１１ａ’，２１”，６１ａ：カム斜面（運動方向変換手段）
２１：バネ受け部
３０：筆記芯
３１：鉛芯
３２：鉛芯繰出し機構
３２ａ：芯タンク
３２ｂ：チャック
３２ｃ：クラッチリング
３２ｄ：芯ブレーカ
３２ｅ：スライド筒
３２ｆ：スライド筒付勢部材
３２ｇ：保持筒
３２ｇ１：前側保持部
３２ｇ２：後側保持部
３２ｇ１２：前側当接部
３２ｇ２０：筆記芯支持部
３２ｇ２２：当接部
３２ｈ：芯タンク付勢部材
４０：進退部材
５０：筆記芯付勢部材
【図１】
2015123689.tif 000003
【図２】
2015123689.tif 000004
【図３】
2015123689.tif 000005
【図４】
2015123689.tif 000006
【図５】
2015123689.tif 000007
【図６】
2015123689.tif 000008
【図７】
2015123689.tif 000009
【図８】
2015123689.tif 000010
【図９】
2015123689.tif 000011
【図１０】
2015123689.tif 000012
【図１１】
2015123689.tif 000013
【図１２】
2015123689.tif 000014
【図１３】
2015123689.tif 000015